(57)【特許請求の範囲】
【請求項１】
建物の壁面に沿った床下地中に複数のカロートが隔壁を介して連続して設けられてなり、この床面の高さに揃えて各拝石を被せてあり、床上に納骨に必要な空間を保って、それより上方の壁面に、複数のカロートに対応する位牌壇が設けられてなり、その手前に儀式に必要な焼香台や供物等を置く前机が配されてなることを特徴とする集合墓。
【請求項２】
前記の前机は、高さ７０糎程にて、且つ儀式用具に必要な蓄電装置が搭載してあり、横移動自在の機能を持ち、先端が位牌壇に当接されてなることを特徴とする請求項１に記載の集合墓。
【発明の詳細な説明】
【技術分野】
【０００１】  本発明は集合墓のカロートと位牌壇及び前机に関する。
【背景技術】
【０００２】  従前より、集合墓は、墓とは言うが遺骨を土中にねんごろに埋葬するところではなく、骨壺を位牌壇の中などに仮置きするか、遺骨を多数ごちゃ混ぜに同じ穴に投入するかされており、また位牌壇は壁全面に重ねて積まれるため、下段や隅では拝みづらく、心のこもった供養は出来にくかった。
【発明の概要】
【０００３】  集合墓の床下地中にカロートを設け、拝石を床面に揃えて据え、床上に空間をとって上方に位牌壇を取付けることにより、ねんごろに遺骨を埋納して、立式にて供養儀式を行うことが可能となった。
【発明が解決しようとする課題】
【０００４】集合墓には個々のカロートがないため、骨壺は位牌壇の中に仮置きするか、保管庫から墓参者の前へ機械装置で搬送するか、又は合祀と称して多数の遺骨をごちゃ混ぜに同じ穴に投入して放置するしかなく、故人の遺骨はまことに粗末に扱われて、個我が尊ばれていなかった。この事態を改善すること、これが本発明が解決を目指す第一の課題である。【０００５】従来の集合墓は、位牌壇が床から天井まで壁面全体に組込まれており、最下段の位牌壇は位牌も骨壺も常に他人の足と同レベルにあって軽ろじられ、更にはここに香華を手向けるには低姿勢で床に座るか蹲まるしかない状態である。位牌壇の位置によって契約値段に差をつけるなどされており、これらの不都合を改善すること、これが第二の課題である。【０００６】従来の集合墓は、供養儀式に必要な前机は、位牌壇の引出し棚か、小型の机を持運んで使うしかなく、供物を供え焼香するには手狭であり、高齢者にとっては安定に欠けるもので、丁重に心をこめた供養をするにはふさわしくなかった。これを改善すること、これが第三の課題である。
【課題を解決するための手段】
【０００７】集合墓の地下にカロートを造るのは容易であるが、従前はこの中へ骨壺を納める良い方法がないため実現できなかった。本発明は、納骨の儀式に必要な高さだけ位牌壇を床から上げて取付けることで解決を図ったものである。即ち、地中に骨壺が必要個入る広さのカロートを造り、納入口である拝石を床高さに揃えて据え、床上から納骨するに必要な空間（以下床上空間と略称）を確保して、それより上方にカロートの広さに合わせた寸法の位牌壇を、骨壺の数と同数個重ねて取付ける工法とした。（例えば骨壺５個入りカロートならば位牌壇は５壇）建物の形状に合わせてこの位牌壇とカロートを連続して配置することによって、課題を解決することが可能であった。また、最下段の位牌壇は拝みづらいという問題もこれで解消出来た。
前記の床上空間は、床面に膝を付く作業姿勢で骨壺を地中へ納めるには、最低限いかほどの空間が必要かの寸法であり、下方の拝石と上方の位牌壇間に６０糎〜８０糎の高さをとるとする。これによって、カロート内に遺骨を埋納出来ること、位牌壇の位置が高くなり立式供養が可能となること、供養のために持参した供花、供物を飾る場になること、以上三つのこれまでの集合墓にない大きな利点が得られるものである。なお、床上寸法は、骨壺を床下へ納めるために特別な機械か道具を用いることにより６０糎以下とすることも可能である。【０００８】位牌壇が床上空間確保ぶんだけ床より高い位置にあるため、供養の儀式は座式から立式に変わって、位牌壇の前に立机を並べて椅子に掛けて参列できることになった。これまで手で持ち上げて運ぶため軽量・小型とした前机でなく、机面は儀式に用いる香呂台のほか遺影を画面に映すパソコンも置ける大きさとし、蓄電装置を搭載して、キャスター付で横移動自在の機能をもつものとした。供養が終わったあとは所定位置に戻して充電し、供物は拝石の上に飾って帰るしきたりとした。かくて儀式環境が整い、供養の近代化が図られた。なお、集合墓内の正面に、須弥壇と祭壇・導師椅子を設けてあり、ここで納骨式、月参り法要などが執行されている。
【発明の効果】
【０００９】このＩＤ集合墓の実施によって、下記の利点が得られた。
・地下のカロート内に故人個々の骨壺が埋納される。
・位牌壇は床面より高い位置となり、位牌と遺骨を足元に置いて軽んじる状態は解消した。
・遺骨が同じ穴に多数投入されごちゃ混ぜに放置されることはない。
・下段の位牌壇は使いづらいため差別視して、低価格にするなどのしきたりは減少した。
・供養の儀式は、立式の前机を置いて椅子に掛けて行うことが出来る。
・過疎地が増えて墓離れが進む世情にあって、墓参が久しく途絶えたとしても、集合墓内で月参り等してもらえるので無縁仏とはならず、安心である。
【図面の簡単な説明】
【００１０】
【図１】  ＩＤ集合墓工法の一実施例を示す平面図である。
【図２】  ＩＤ集合墓工法の一実施例を示す立面図である。
【図３】  ＩＤ集合墓工法の縦断面図である。
【図４】  ＩＤ集合墓工法の室内の状態の一部分を示す斜視図である。
【発明を実施するための形態】
【００１１】以下、本発明のＩＤ集合墓工法を図１〜図４に基づいて説明する。
【００１２】図においては、建物は鉄筋コンクリート造の６ｍ角平面、方形屋根として説明するが、これは一例であり、基礎を除く上屋は木造、鉄骨造等でもよく、建物の広さ、間取りも、２１屋根と２２擬宝珠、１３出入口扉と２３柱の形状もこれに限らない。建築基準法にのっとり、正面１３出入口扉のほかに避難用の１５非常口を設け、窓は採光・換気に必要な大きさの１４引違い窓とし、盗難防止のため２４窓格子を取付けた。
【００１３】建物の基礎は鉄筋コンクリート造とし、３位牌壇の真下にて１地面より下に５カロートを連続して設け、７カロート間の隔壁を取付け、底部に６砂、塩、土、炭、土を敷き込み、９拝石受け金物を取付ける。
【００１４】９拝石受け金物を基準として、２床を平らにモルタル金鏝仕上げし、８拝石を据付ける。
【００１５】３位牌壇は７カロート間の隔壁の位置と揃え、かつ５カロート内へ遺骨を埋納するために必要な４床上空間を確保して、それより上方の１２コンクリート壁に取付ける。なお、この４床上空間は６０糎〜８０糎が望ましいが、特別の機械、道具を用いて骨壺を地下へ納めることによって６０糎以下とすることもありうる。
【００１６】１１前机は高さ７０糎程度とし、キャスター付で横移動可能、１２焼香用の香呂と供物等を載せ得る大きさであり、これを３位牌壇の前へ並べて、立式供養を行い、参列者は各自２０二人掛け回転椅子を、正面の１６須弥壇から当該３位牌壇の方向に向けて腰掛ける。
【００１７】集合墓内には、１６須弥壇、１７祭壇、１８導師椅子があって、寺僧により納骨式のほか月参りの法要が営まれる。墓参が途絶えがちな故人の霊も、無縁仏とはならず、安らかな眠りをつづけられる。これは個人墓にはないＩＤ集合墓の利点である。
【符号の説明】
【００１８】１  地面
２  床
３  位牌壇
４  床上空間（７０糎±３０糎）
５  カロート
６  砂、塩、土、炭、土
７  カロート間の隔壁
８  拝石
９  拝石受け金物
１０天井
１１前机
１２コンクリート壁
１３出入口扉
１４引違い窓
１５非常口
１６須弥壇
１７祭壇
１８導師椅子
１９荷物置台
２０二人掛け回転椅子
２１屋根
２２擬宝殊
２３柱
２４窓格子
【図１】
0005927653.tif 000002
【図２】
0005927653.tif 000003
【図３】
0005927653.tif 000004
【図４】
0005927653.tif 000005